(57)【要約】【課題】プリズムを含む撮像光学系部材を有してなる撮像装置において、撮像装置を大型化することなくプリズムを強固に固定する。【解決手段】本発明の撮像装置は、プリズムを含む撮像光学系部材を保持するレンズ鏡枠をフレーム部材に対して弾性的に支持する緩衝部材と、前記プリズムを収容するプリズム収容室を有し、前記レンズ鏡枠の一部を構成するプリズム保持枠と、一端が前記プリズム保持枠の外面に開口し、他端が前記プリズム収容室内に開口する接着剤注入孔と、を有し、前記接着剤注入孔の他端側の開口は、前記緩衝部材による前記レンズ鏡枠に対する緩衝効果が最も弱くなる方向に直交する方向を長手方向とした扁平な形状を有し、前記プリズムは、前記接着剤注入孔を介して注入された接着剤により固定されていることを特徴とする。【選択図】図６
2013167818.tif 000002
【特許請求の範囲】
【請求項１】
フレーム部材と、
プリズムを含む撮像光学系を保持するレンズ鏡枠と、
前記フレーム部材と前記レンズ鏡枠との間に介在し、前記レンズ鏡枠を前記フレーム部材に対して緩衝効果を有して弾性的に支持する緩衝部材と、
前記プリズムを収容するプリズム収容室を有し、前記レンズ鏡枠の一部を構成するプリズム保持枠と、
前記プリズム保持枠に設けられ、一端が前記プリズム保持枠の外面に開口し、他端が前記プリズム収容室内に開口する貫通孔である１つ又は複数の接着剤注入孔と、
を有し、
前記接着剤注入孔の他端側の開口は、前記緩衝部材による前記レンズ鏡枠に対する緩衝効果が最も弱くなる方向に直交する方向を長手方向とした扁平な形状を有し、
前記プリズムは、前記接着剤注入孔の一端から前記プリズム収容室内に注入された接着剤により、前記プリズム収容室内に固定されていることを特徴とする撮像装置。
【請求項２】
前記プリズムは、直角プリズムであって、側面と前記プリズム収容室の内壁面である枠側接着面との間に注入された前記接着剤により前記プリズム収容室内に固定されており、
前記接着剤注入孔の他端側の開口は、前記枠側接着面に設けられていることを特徴とする請求項１に記載の撮像装置。
【請求項３】
前記プリズムは、当該撮像装置の前方から前記撮像光学系に入射した第１光軸を９０度屈曲させて第２光軸として出射するように配設されており、
前記緩衝部材は、板状の弾性を有する材料からなり、前記レンズ鏡枠の前方側の面と、前記フレーム部材の後方側の面との間において厚さ方向が前記第１光軸に沿う方向となるように配設されており、
前記緩衝部材による前記レンズ鏡枠に対する緩衝効果が最も弱くなる方向とは、前記第１光軸に沿う方向であることを特徴とする請求項２に記載の撮像装置。
【請求項４】
前記接着剤注入孔の他端側の開口は、前記第２光軸に沿う方向についての最大幅が、前記第１光軸に沿う方向についての最大幅より大きくなるように形成されていることを特徴とする請求項３に記載の撮像装置。
【請求項５】
前記撮像光学系は、物体側から像側に向かって順に、前記プリズムを含みかつ負屈折力を有する第１レンズ群、正屈折力を有する第２レンズ群、負屈折力を有する第３レンズ群、及び正屈折力を有する第４レンズ群を備えるズームレンズであって、
前記レンズ鏡枠は、前記第１群レンズを固定した状態で保持し、前記第２レンズ群、前記第３レンズ群及び前記第４レンズ群を前記第２光軸に沿って移動可能に保持し、前記撮像光学系部材を広角端から望遠端へ変倍する場合には、前記第２レンズ群を、前記第１レンズ群に近づくように物体側にのみ移動させ、前記第３レンズ群及び前記第４レンズ群を、一旦前記第２レンズ群に近づいた後に折り返すように移動させるように構成されていることを特徴とする請求項３又は４に記載の撮像装置。
【発明の詳細な説明】
【技術分野】
【０００１】
本発明は、プリズムを含む撮像光学系部材を保持するレンズ鏡枠を有してなる撮像装置に関する。
【背景技術】
【０００２】
被写体の静止画像又は動画像を撮像する撮像装置として、撮像光学系部材にプリズムを配して光軸を屈曲させる形態を有するものが、例えば特開２０１０−１７７９６４号公報に開示されている。特開２０１０−１７７９６４号公報に開示された撮像装置は、被写体から入射する第１光軸を、撮像光学系部材の物体側に配設した直角プリズムによって第２光軸に９０度屈曲させることによって、撮像装置の厚さを薄くすることができる。特開２０１０−１７７９６４号公報に開示の撮像装置においては、直角プリズムを含む撮像光学系部材、及び撮像光学系部材を駆動する電動モータ等の駆動機構を１つのレンズ鏡枠によって保持し、該レンズ鏡枠を、撮像装置の構造部材であるフレーム部材内に固定している。そして、撮像装置の落下等によってフレーム部材に衝撃力が与えられた場合において、レンズ鏡枠に加わる衝撃力を緩和するために、レンズ鏡枠は、間に緩衝部材を介してフレーム部材に固定されている。
【先行技術文献】
【特許文献】
【０００３】
【特許文献１】特開２０１０−１７７９６４号公報
【発明の概要】
【発明が解決しようとする課題】
【０００４】
特開２０１０−１７７９６４号公報のように、第１光軸に沿う方向の厚さを薄くすることを考慮して撮像光学系部材にプリズムを配した撮像装置の場合、緩衝のためにレンズ鏡枠を厚さ方向に移動させる空間の確保と、撮像装置の薄型化との両立が困難であり、第１の光軸に沿う方向の衝撃力に対する緩衝部材による緩衝効果が他の方向に比して低くなりやすい。
【０００５】
また、特開２０１０−１７７９６４号公報に開示されているような撮像光学系部材撮像光学系部材の中でプリズムは比較的重い部材である。そして、撮像光学系部材のＦ値を明るくしたりズーム倍率の値を大きくする場合には、プリズムを大型にする、もしくはプリズムの硝材を高屈折率のものにする必要がある。高屈折率の硝材は一般的に比重が高い傾向があることから、撮像光学系部材のＦ値を明るくしたりズーム倍率の値を大きくするという要求に応える場合には、プリズムがより重くなる傾向にある。このため、緩衝部材によるレンズ鏡枠への緩衝効果が充分でない場合には、プリズムの位置ずれが発生しやすくなる。
【０００６】
以上のことから、撮像光学系部材の設計の自由度を向上させ、かつ撮像装置の薄型化を実現するためには、重くなる傾向にあるプリズムの固定を、特に緩衝部材による緩衝効果が低くなる厚さ方向（第１光軸に沿う方向）についてより強固にすることが望ましい。
【０００７】
本発明は、上述した点に鑑みてなされたものであって、プリズムを含む撮像光学系部材を有してなる撮像装置において、撮像装置を大型化することなくプリズムを強固に固定することを目的とする。
【課題を解決するための手段】
【０００８】
本発明に係る撮像装置は、フレーム部材と、プリズムを含む撮像光学系を保持するレンズ鏡枠と、前記フレーム部材と前記レンズ鏡枠との間に介在し、前記レンズ鏡枠を前記フレーム部材に対して緩衝効果を有して弾性的に支持する緩衝部材と、前記プリズムを収容するプリズム収容室を有し、前記レンズ鏡枠の一部を構成するプリズム保持枠と、前記プリズム保持枠に設けられ、一端が前記プリズム保持枠の外面に開口し、他端が前記プリズム収容室内に開口する貫通孔である１つ又は複数の接着剤注入孔と、を有し、前記接着剤注入孔の他端側の開口は、前記緩衝部材による前記レンズ鏡枠に対する緩衝効果が最も弱くなる方向に直交する方向を長手方向とした扁平な形状を有し、前記プリズムは、前記接着剤注入孔の一端から前記プリズム収容室内に注入された接着剤により、前記プリズム収容室内に固定されている。
【発明の効果】
【０００９】
本発明によれば、プリズムを含む撮像光学系部材を有してなる撮像装置において、撮像装置を大型化することなくプリズムを強固に固定することが可能となる。
【図面の簡単な説明】
【００１０】
【図１】撮像装置の前面側を示す斜視図である。
【図２】第１光軸及び第２光軸を含む平面による撮像装置の断面図である。
【図３】レンズ鏡枠の前面に配設される緩衝部材を示す分解斜視図である。
【図４】レンズ鏡枠を緩衝部材を介してフレーム部材に対して保持する構成を示す分解斜視図である。
【図５】プリズム保持枠の斜視図である。
【図６】プリズム保持枠の側面図である。
【図７】第１光軸及び第２光軸を含む平面によるプリズム保持枠の断面図である。
【図８】第１光軸を含み第２光軸に直交する平面によるプリズム保持枠の断面図である。
【図９】硬化した接着剤の形状を示す図である。
【図１０】プリズム保持枠の第１の変形例を示す側面図である。
【図１１】プリズム保持枠の第２の変形例を示す側面図である。
【図１２】プリズム保持枠の第３の変形例を示す側面図である。
【図１３】プリズム保持枠の第４の変形例を示す側面図である。
【発明を実施するための形態】
【００１１】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１２】
本実施形態は、一般に電子カメラ、デジタルカメラ等と称される形態の撮像装置に本発明を適用したものである。本実施形態の撮像装置１は、被写体像を結像するためのレンズ等の撮像光学系部材と、撮像光学系部材の結像面に配設された撮像素子４６とを保持するレンズ鏡枠２０を内部に具備して構成されている。なお、撮像素子４６は、ＣＣＤやＣＭＯＳセンサ等のイメージセンサである。
【００１３】
撮像光学系部材は、プリズム５０を含んでおり、プリズム５０によって光軸を屈曲させる、いわゆる光路反射型、折り曲げ光学系、又は屈曲光学系等と称される形態を有している。本実施形態の撮像装置１では、撮像装置１の被写体に面する側（前方）から入射する光を、いわゆる直角プリズムであるプリズム５０によって９０度屈曲させて、撮像素子４６の受光部に入射させる構成を有する。なお、撮像光学系部材の詳細については後述するものとする。
【００１４】
以下の説明では、撮像光学系部材において、被写体からプリズム５０に入射し、プリズム５０の反射面に至るまでの光軸を第１光軸Ｏ１と称し、プリズム５０の反射面から撮像素子４６に至る光軸を第２光軸Ｏ２と称するものとする。言い換えれば、撮像光学系部材において、第１光軸Ｏ１はプリズム５０の反射面よりも物体側の光軸のことを指し、第２光軸Ｏ２はプリズム５０の反射面よりも像側の光軸のことを指す。
【００１５】
また、以下の説明では、図１に示すように、撮像装置１をいわゆる正立位置で構えた場合のカメラの左右方向をＸ方向とし、Ｘ方向と直交する上下方向をＹ方向とし、Ｘ、Ｙ方向に直交する前後方向をＺ方向とする。なお、撮像装置１の正立位置とは、本実施形態では、撮像装置１によって撮像される矩形の画像の長辺が画像中の水平線と略平行となるように撮像装置１を構えた場合のことを称する。また、Ｚ方向について撮像装置１の被写体側を前方とし、撮影者側を後方（背面方向）とする。Ｘ方向、Ｙ方向及びＺ方向は、一般的には、撮像装置１の幅方向、高さ方向、及び厚さ方向とも称される。
【００１６】
本実施形態の撮像装置１では、一例として、撮像光学系部材の第１光軸Ｏ１が、Ｚ方向と略平行となり、第２光軸Ｏ２がＹ方向と略平行となるように、レンズ鏡枠２０が配設されている。すなわち、撮像素子４６は、受光面を上方に向けた状態で、撮像装置１の下面近傍に配設されている。なお、レンズ鏡枠２０は、第２光軸Ｏ２がＸ方向と略平行となるように配設される形態であってもよい。
【００１７】
具体的に本実施形態の撮像装置１は、図１に示すように、前面、左右側面、上面及び底面を覆うように形成されたフレーム部材２と、主に背面側を覆うように形成されたカバー部材３とを組み合わせた箱形状の筐体を有する。フレーム部材２は、レンズ鏡枠２０や図示しない制御回路基板等の撮像装置１を構成する部材を保持するための所定の剛性を有する構造部材である。なお、フレーム部材２の外面は、撮像装置１の外観の一部を構成する形態であってもよいし、加飾用のパネル等によって覆われる形態であってもよい。
【００１８】
撮像装置１の前面には、内部に配設されたレンズ鏡枠２０の第１光軸Ｏ１が通過する貫通孔２ａや閃光発光装置４等が設けられている。なお、撮像装置１は、撮像装置１の非撮影時に貫通孔２ａを遮蔽するバリア装置を有する形態であってもよい。
【００１９】
撮像装置１の上面部にはレリーズスイッチ５、電源操作スイッチ６等の操作部材が配設されている。また、図示しないが撮像装置１の側面部にはストラップ取付金具や、電源電池及び記録媒体を収容する収容室等が設けられている。
【００２０】
また、撮像装置１の背面部に配設されるカバー部材３には、例えばズーム操作用スイッチや画像再生スイッチ等、使用者が本撮像装置１の撮影動作時及び再生動作時に実行すべき各種の操作を入力するための複数の操作部材が設けられている。また、カバー部材３には、液晶表示装置又はＥＬ表示装置等からなり情報を表示し出力する画像表示装置等も設けられている。
【００２１】
次に、レンズ鏡枠２０の構成について説明する。まず、図２を参照して、レンズ鏡枠２０が保持する撮像光学系部材の詳細な構成について説明する。図２は、撮像装置１の、第１光軸Ｏ１及び第２光軸Ｏ２を含む平面による断面図である。
【００２２】
本実施形態の撮像光学系部材は、画角の確保と撮像装置の薄型化に有利な負先行型の光路反射型のズームレンズであり、明るさや変倍比を確保しても光学性能の維持に有利な構成を有する。
【００２３】
撮像光学系部材は、物体側から像側に向かって順に、プリズム５０を含みかつ負屈折力を有する第１レンズ群４１、正屈折力を有する第２レンズ群４２、負屈折力を有する第３レンズ群４３、及び正屈折力を有する第４レンズ群４４が配設されて構成されている。
【００２４】
第１群レンズ４１は、プリズム保持枠２２によって位置が固定された状態で保持されている。第２レンズ群４２、第３レンズ群４３、及び第４レンズ群４４は、それぞれが第２光軸Ｏ２に沿って移動可能に保持されている。例えば、撮像光学系部材を広角端から望遠端へ変倍する場合には、第２レンズ群４２は、第１レンズ群４１に近づくように物体側にのみ移動し、第３レンズ群４３は、一旦第２レンズ群４２に近づいた後折り返すように移動し、第４レンズ群４４は第３レンズ群４３と同様に移動する。
【００２５】
本実施形態の撮像光学系部材の構成によれば、第１レンズ群４１中にプリズム５０を配置する構成とすることで撮像装置１の薄型化に有利となる。また、広角端から望遠端への変倍に際して、正屈折力の第２レンズ群４２が負の屈折力の第１レンズ群４１に近づくことで、第２レンズ群４２による変倍機能を確保できる。また、第３レンズ群４３は負の屈折力を持つが、このレンズ群は第２レンズ群４２からの軸外光束を光軸から離れる方向に屈折させる機能を持つ。そして後続する第４レンズ群４４は正の屈折力を持つため、第３レンズ群４３から射出した軸外光束を屈折させることで射出瞳を撮像面から遠ざける機能を果たす。負屈折力の第３レンズ群４３と正屈折力の第４レンズ群４４のこのような機能により、射出瞳を撮像面から遠ざける機能を確保しつつ、第３レンズ群４３よりも物体側のレンズを小型化することが可能となり、撮像光学系部材の全長の短縮化につながる。また、第４レンズ群を移動させることで、射出瞳位置や像面位置の補償等にも有利となる。
【００２６】
また本実施形態では、第１レンズ群４０は、プリズム５０の他に、プリズム５０の物体側に配設された負の屈折力を有する第１レンズ４１ａと、プリズム５０の像側に配設された正の屈折力を有する第２レンズ４１ｃとを有して構成されている。このように、第１レンズ４１ａを負の屈折力、第２レンズ４１ｃを正の屈折力とすることで、プリズム５０を挟んで配設される第１レンズ４１ａ及び第２レンズ４１ｃのレンズ面間距離を小さく抑えつつ、第１レンズ群４１にワイドコンバーションレンズのような機能を持せることが可能となり、広角端での画角を広くすることが可能となる。加えて、第１レンズ４１ａ及び第２レンズ４１ｃの屈折力の符号を異ならせることで収差の低減にも有利となる。
【００２７】
以上に説明した撮像光学系部材が、レンズ鏡枠２０によって保持されている。レンズ鏡枠２０は、図３に示すように、略直方体形状の本体部２１と、第１レンズ群４１を保持するプリズム保持枠２２とを有して構成されている。本体部２１内には、第２レンズ群４２、第３レンズ群４３及び第４レンズ群４４を、第２光軸Ｏ２に沿って進退移動させるための電動モータや摺動軸等からなる機構部が配設されている。なお、第２レンズ群４２、第３レンズ群４３及び第４レンズ群４４を進退移動させるための機構部は、公知のレンズ鏡枠と同様であるので、詳細な説明は省略するものとする。
【００２８】
レンズ鏡枠２０は、以上に説明した撮像光学系部材の他に、撮像素子４６を保持している。撮像素子４６は、第２光軸Ｏ２に対して位置が固定された状態で保持される形態であってもよいし、第２光軸Ｏ２に直交する方向に移動可能な状態で保持される形態であってもよい。撮像素子４６が、第２光軸Ｏ２に直交する方向に移動可能である場合には、撮像装置１の露光時における撮像装置１の移動に起因する像の揺れを補正する、いわゆる手振れ補正機能又は像揺れ補正機能と称される機能を実現可能である。また、レンズ鏡枠２０には、ローパスフィルタやＮＤフィルタ等の光学フィルタや、シャッタ装置が配設されていてもよい。
【００２９】
次に、撮像装置１内において、レンズ鏡枠２０をフレーム部材２に対して位置決めして保持する構成について説明する。図２及び図３に示すように、レンズ鏡枠２０の前面には、所定の厚さを有する略平板状の緩衝部材３０が接着剤により固定されている。緩衝部材３０は、ゴム等の弾性又は粘弾性を有する材料からなり、一方の主面が、レンズ鏡枠２０の本体部２１の前面部上に接着剤により固定されている。
【００３０】
そして、緩衝部材３０の前面には、金属又は合成樹脂からなる薄板状の平板部材３１が接着剤により固定されている。平板部材３１には、後述するフレーム部材２の凸部２ｂが内側に嵌合する切り欠き部３１ａが形成されている。
【００３１】
一方、フレーム部材２の内面であり、レンズ鏡枠２０の前面と対向する面上には、図４に示すように、平板部材３１の切り欠き部３１ａに対応した位置に凸部２ｂが形成されている。凸部２ｂは、前述したように、平板部材３１の切り欠き部３１ａ内に嵌合する形状を有している。
【００３２】
レンズ鏡枠２０は、平板部材３１の切り欠き部３１ａが、フレーム部材２の凸部２ｂと嵌合することによって、平板部材３１及び緩衝部材３０を介してフレーム部材２に対して所定の位置に保持される。緩衝部材３０は、弾性又は粘弾性を有する材料からなることから、撮像装置１の落下等によってフレーム部材２に衝撃力が与えられた場合において、レンズ鏡枠２０に加わる衝撃力を緩和する効果を発揮する。ここで、緩衝部材３０は、略平板状であり、フレーム部材２とレンズ鏡枠２０との間に介装されていることから、緩衝部材３０が生ずる緩衝効果は、緩衝部材３０の主面に沿う方向の衝撃力が加わり緩衝部材３０がせん断変形する場合に高くなる。すなわち、撮像装置１（フレーム部材２）に、第１光軸Ｏ１に略直交する方向（Ｘ方向及びＹ方向）の衝撃力が加えられる場合に、緩衝部材３０の緩衝効果は最も高くなる。そして、撮像装置１（フレーム部材２）に、第１光軸Ｏ１に略平行な方向（Ｚ方向）の衝撃力が加えられる場合には、緩衝部材３０は厚さ方向に圧縮変形するのみであるため、緩衝部材３０の緩衝効果は最も低くなる。
【００３３】
以上に説明したように、本実施形態の撮像装置１は、フレーム部材２に対して緩衝部材３０を介してレンズ鏡枠２０を弾性的に保持する構成を有しており、緩衝部材３０によるレンズ鏡枠２０への緩衝効果は、第１光軸Ｏ１に略平行な方向の衝撃力が加えられる場合に最も低くなる。
【００３４】
次に、レンズ鏡枠２０において、プリズム５０を保持する構成の詳細について説明する。プリズム５０は、プリズム保持枠２２に接着剤によって固定されている。
【００３５】
本実施形態では一例として、プリズム保持枠２２は、プリズム５０の他に、第１レンズ群４１を構成する第１レンズ４１ａ及び第２レンズ４１ｃを保持している。なお、プリズム保持枠２２は、プリズム５０のみを保持する形態であってもよい。
【００３６】
図７に示すように、プリズム５０は、互いに直交する入射面５０ａ及び出射面５０ｂと、入射面５０ａ及び出射面５０ｂに対して４５度の角度をなす反射面５０ｃを有する断面が二等辺三角形状の直角プリズムである。また、図８に示すように、プリズム５０の一対の側面５０ｄは、入射面５０ａ、出射面５０ｂ及び反射面５０ｃに略直交する一対の平面からなる。
【００３７】
本実施形態のレンズ鏡枠２０においては、プリズム５０は、入射面５０ａが第１光軸Ｏ１と直交し、出射面５０ｂが第２光軸Ｏ２と直交するように配設されている。したがって、レンズ鏡枠２０において、プリズム５０の一対の側面５０ｄは、第１光軸Ｏ１及び第２光軸Ｏ２に略平行な面である。後述するが、プリズム５０の一対の側面５０ｄは、プリズム５０を保持するプリズム保持枠２２に接着剤５１によって固定するためのプリズム側接着面である。なお、一対の側面５０ｄは、平坦面に限られるものではなく、凹凸を有する形態であってもよい。
【００３８】
プリズム保持枠２２は、図５、図６及び図７に示すように、三角柱形状であるプリズム５０を内部に収容しプリズム５０の周囲を囲う形状のプリズム収容室２２ａを有している。プリズム保持枠２２の前面には、プリズム収容室２２ａにまで貫通し第１光軸Ｏ１が通過する入射側開口部２２ｂが設けられており、プリズム保持枠２２の下面には、プリズム収容室２２ａにまで貫通し第２光軸Ｏ２が通過する出射側開口部２２ｃが設けられている。
【００３９】
言い換えれば、入射側開口部２２ｂは、プリズム５０の入射面５０ａに被写体からの光束が通過するように形成された貫通孔であり、出射側開口部２２ｂは、プリズム５０の出射面５０ｂから出射する光束が通過するように形成された貫通孔である。入射側開口部２２ｂ及び出射側開口部２２ｃの内部には、それぞれ第１レンズ４１ａ及び第２レンズ４１ｃが接着剤により固定されている。
【００４０】
プリズム５０は、側面５０ｄとプリズム収容室２２ａの内面との間に介装された接着剤５１によって、プリズム保持枠２２に対して固定されている。プリズム収容室２２ａの内面の一部はプリズム５０を所定の隙間を有してＸ方向に挟み込む形状を有している。より具体的には、図８に示すように、プリズム収容室２２ａの内面には、内部に収容したプリズム５０のプリズム側接着面である一対の側面５０ｄに対して所定の隙間を有して対向する、一対の枠側接着面２２ｄが設けられている。
【００４１】
一対の枠側接着面２２ｄは、本実施形態では、第１光軸Ｏ１及び第２光軸Ｏ２に略平行な平面に沿う面である。一対の枠側接着面２２ｄは、平坦面に限られるものではなく、凹凸を有する形態であってもよい。なお以下では、枠側接着面２２ｄが形成されている壁面を、プリズム保持枠２２の側壁２２ｆと称するものとする。
【００４２】
接着剤５１は、プリズム５０の一対の側面５０ｄと、該一対の側面５０ｄに対向するプリズム収容室２２ａの一対の枠側接着面２２ｄの間に介装されている。なお、接着剤５１の種類は特に限定されるものではなく、例えば紫外線硬化型接着剤等の光硬化型接着剤、熱硬化型接着剤、化学反応型接着剤等、公知の１つ又は複数種類の接着剤が適用され得る。
【００４３】
プリズム保持枠２２には、プリズム保持枠２２の外部から、硬化前の接着剤５０をプリズム５０の側面５０ｄと枠側接着面２２ｄとの間に注入するための接着剤注入孔２３が１箇所又は複数箇所に設けられている。
【００４４】
接着剤注入孔２３は、プリズム保持枠２２の外面と、プリズム収容室２２ａ内とを連通する貫通孔である。接着剤注入孔２３の一端は、プリズム保持枠２２の外面において１つ又は複数の箇所に開口しており、接着剤注入孔２３の他端は、一対の枠側接着面２２ｄのそれぞれにおいて、プリズム収容室２２ａ内に１つ又は複数の箇所に開口している。
【００４５】
本実施形態では、一例として、接着剤注入孔２３は、プリズム保持枠２２の一対の側壁２２ｆをＸ方向に貫通するように形成されている。言い換えれば、接着剤注入孔２３は、第１光軸Ｏ１及び第２光軸Ｏ２に略直交する軸に沿って穿設された貫通孔である。
【００４６】
本実施形態の接着剤注入孔２３は、プリズム保持枠２２の側壁２２ｆをＸ方向に貫通する形態であり、プリズム保持枠２２の外面における一端側開口部２３ａの数と、枠側接着面２２ｄにおける他端側開口部２３ｂの数が一致している。なお、本発明はこの形態に限られるものではなく、例えば、接着剤注入孔２３は途中で分岐する形状を有し、接着剤注入孔２３の一端側開口部２３ａの数よりも、他端側開口部２３ｂの数の方が多い形態であってもよい。また、接着剤注入孔２３の一端側開口部２３ａの形状と他端側開口部２３ｂの形状は、同一であってもよいし異なっていてもよい。また、接着剤注入孔２３は、途中で屈曲する形状であってもよい。接着剤注入孔２３が、途中で屈曲する形状である場合には、一端側開口部２３ａは、側壁２２ｆの外面以外のプリズム保持枠２２の外面に形成されていてもよい。
【００４７】
そして、一方の枠側接着面２２ｄに開口する接着剤注入孔２３について着目した場合に、少なくとも１つの他端側開口部２３ｂは、フレーム部材２とレンズ鏡枠２０との間に介装された緩衝部材３０による緩衝効果が最も低くなる方向に略直交する方向を長手方向とした、扁平な形状を有している。本実施形態では、前述したように、緩衝部材３０による緩衝効果が最も低くなる方向とは、Ｚ方向、すなわち第１光軸Ｏ１に略平行な方向のことである。そして本実施形態では、他端側開口部２３ｂが開口する枠側接着面２２ｄは、Ｚ方向及びＹ方向に略平行な面であることから、扁平な他端側開口部２３ｂの長手方向とは、Ｙ方向、すなわち第２光軸Ｏ２に略平行な方向のことである。
【００４８】
より具体的には、図６に示すように、接着剤注入孔２３の他端側開口部２３ｂは、Ｙ方向についての最大幅ＷＹが、Ｚ方向についての最大幅ＷＺよりも大きくなるように形成されている。
【００４９】
また本実施形態では、他端側開口部２３ｂが扁平形状である接着剤注入孔２３の他に、丸孔形状の接着剤注入孔２４が２箇所に設けられている。このように、本発明は、少なくとも１つの他端側開口部２３ｂが扁平形状であればよく、他の接着剤注入孔又は他の他端側開口部の形状や位置は、プリズム５０の側面５０ｄと側接着面２２ｄとの間に接着剤５１が気泡を含むことなく広がるように、プリズム５０の側面５０ｄの面積や形状、及び硬化前の接着剤５１の粘度等に応じて、適宜に定められるものである。
【００５０】
以上に説明した形状の接着剤注入孔２３を介して、接着剤５１をプリズム５０の側面５０ｄと枠側接着面２２ｄとの間に注入し硬化させた場合、図８に示すように、接着剤５１は、側面５０ｄと枠側接着面２２ｄとの間に面状に広がるとともに、一部が他端側開口部２３ｂよりも接着剤注入孔２３の内側に残留する。図９は、プリズム５０と硬化した状態の接着剤５１のみを示している。図９に示すように、接着剤注入孔２３の内側に残留し硬化した接着剤５１は、側面５０ｄと枠側接着面２２ｄとの間に介在する面状部５１ａから、Ｘ方向に突出する凸部５１ｂとなる。
【００５１】
そして、他端側開口部２３ｂは、Ｙ方向（第２光軸Ｏ２に略平行な方向）を長手方向として扁平な形状であることから、凸部５１ｂも、Ｙ方向（第２光軸Ｏ２に略平行な方向）を長手方向として扁平な形状を有する。
【００５２】
このように、プリズム保持枠２２の枠側接着面２２ｄに開口する他端側開口部２３ｂ内にＸ方向に突出する凸部５１ｂは、特にＹ方向及びＺ方向の衝撃に対して、プリズム５０のプリズム保持枠２２に対する固定の強度を向上させる効果を発揮する。
【００５３】
なお、接着剤５１は、プリズム５０の側面５０ｄと枠側接着面２２ｄとの間に介在する接着剤５１の面状部５１ａが、側面５０ｄの端部にまで到達しないように注入される。このように、欠けが生じやすいプリズム５０の角部がプリズム保持枠２２と接着されないようにすることにより、プリズム５０の欠けの発生を防止することができる。
【００５４】
前述したように、本実施形態の撮像装置１では、緩衝部材３０によるレンズ鏡枠２０に対する緩衝効果は、Ｚ方向の衝撃に対して最も低くなる。すなわち、本実施形態の撮像装置１は、例えば同じ高さから同じ地面に落下した場合であっても、前面を下向きにして地面に落下した場合の方が、下面を下向きにして落下した場合よりも、レンズ鏡枠２０に加えられる衝撃力が大きくなる。
【００５５】
すなわち本実施形態では、扁平な形状である接着剤５１の凸部５１ｂは、レンズ鏡枠２０に過大な衝撃力が加えられやすいＺ方向に直交する方向を長手方向として配設されている。Ｙ方向及びＺ方向の衝撃力がレンズ鏡枠２０に加えられた場合、接着剤５１の面状部５１ａと凸部５１ｂとの角部には応力集中が生じる。そして、より強い衝撃力となる可能性が高いＺ方向の衝撃力がレンズ鏡枠２０に加えられる場合には、図９において破線で囲んで示す凸部５１ｂの長手方向の角部Ｃにおいて応力集中が生じる。
【００５６】
すなわち、本実施形態では、強い衝撃力が加えられる可能性が高いＺ方向の衝撃力がレンズ鏡枠２０に加えられた場合に、接着剤５１の面状部５１ａと凸部５１ｂとの角部のうちのより長い角部Ｃによって、応力を受けるように構成されている。したがって、本実施形態では、レンズ鏡枠２０にＺ方向の衝撃力が加えられる場合に接着剤５１の面状部５１ａと凸部５１ｂとの角部Ｃに生じる応力集中が緩和され、角部Ｃから接着剤５１が破断することを防止することができる。
【００５７】
そして、接着剤５１の凸部５１ｂは、従来の撮像装置でも必要とされる接着剤注入孔の内部に形成されるものであることから、接着剤５１の凸部５１ｂを形成するようにした本実施形態のレンズ鏡枠２０は、従来のレンズ鏡枠に対して同等の大きさで実現可能である。すなわち、以上に説明した本実施形態によれば、プリズム５０を含む撮像光学系部材を保持するレンズ鏡枠２０を内蔵する撮像装置１において、撮像装置１を大型化することなくプリズム５０を従来よりも強固に固定することができる。
【００５８】
特に本実施形態では、緩衝部材３０による緩衝効果が低くなるＺ方向（第１光軸Ｏ１に沿う方向、厚さ方向）についてより強固にすることが可能であり、より重いプリズム５０を、従来と同様の大きさの撮像装置１に採用したとしても、プリズム５０の固定の耐衝撃性能を従来と同様もしくは従来よりも高くすることが可能となる。したがって、本実施形態によれば、撮像装置１を小型化しながら、撮像光学系部材のＦ値を明るくしたりズーム倍率の値を大きくすることができる。
【００５９】
なお、上述した本実施形態では、接着剤注入孔２３の他端側開口部２３ｂの形状は略四辺形状であり、１箇所に設けられているが、他端側開口部２３ｂの形状や数は本実施形態に限られるものではない。例えば、図１０及び図１１の変形例に示すように、接着剤注入孔２３の他端側開口部２３ｂは、複数箇所に形成される形態であってもよい。また、図１２に示すように、他端側開口部２３ｂの形状は、楕円形状や長円形状であってもよい。また、図１３に示すように、他端側開口部２３ｂは、Ｙ方向についての最大幅が、Ｚ方向についての最大幅よりも大きくなるように形成されていればよく、長手方向が、Ｙ方向に対して傾いていてもよい。
【００６０】
なお、本発明は、上述した実施形態に限られるものではなく、特許請求の範囲及び明細書全体から読み取れる発明の要旨或いは思想に反しない範囲で適宜変更可能であり、そのような変更を伴う撮像装置もまた本発明の技術的範囲に含まれるものである。
【００６１】
本発明に係る撮像装置は、上述の実施形態で説明した撮影装置として独立した形態に限らず、録音機器、携帯通信端末、ゲーム機、デジタルメディアプレーヤー、時計、ナビゲーション装置等の電子機器に撮影機能を実現する構成として搭載された撮像装置であってもよいことは言うまでもない。
【産業上の利用可能性】
【００６２】
前述のように、本発明は、プリズムを含む撮像光学系部材を保持するレンズ鏡枠を有してなる撮像装置に対して好適である。
【符号の説明】
【００６３】
１    撮像装置、
２    フレーム部材、
２ａ    貫通孔、
２ｂ    凸部、
３    カバー部材、
４    閃光発光装置、
５    レリーズスイッチ、
６    電源操作スイッチ、
２０    レンズ鏡枠、
２１    本体部、
２２    プリズム保持枠、
２２ａ    プリズム収容室、
２２ｂ    入射側開口部、
２２ｃ    出射側開口部、
２２ｄ    枠側接着面、
２２ｆ    側壁、
２３    接着剤注入孔、
２３ａ    一端側開口部、
２３ｂ    他端側開口部、
２４    接着剤注入孔、
３０    緩衝部材、
３１    平板部
４０    撮像光学系部材、
４１    第１レンズ群、
４１ａ    第１レンズ、
４１ｃ    第２レンズ、
４２    第２レンズ群、
４３    第３レンズ群、
４４    第４レンズ群、
４５    シャッタユニット、
４６    撮像素子、
５０    プリズム、
５０ａ    入射面、
５０ｂ    出射面、
５０ｃ    反射面、
５０ｄ    側面（プリズム側接着面）、
５１    接着剤、
５１ａ    面状部、
５１ｂ    凸部。
【図１】
2013167818.tif 000003
【図２】
2013167818.tif 000004
【図３】
2013167818.tif 000005
【図４】
2013167818.tif 000006
【図５】
2013167818.tif 000007
【図６】
2013167818.tif 000008
【図７】
2013167818.tif 000009
【図８】
2013167818.tif 000010
【図９】
2013167818.tif 000011
【図１０】
2013167818.tif 000012
【図１１】
2013167818.tif 000013
【図１２】
2013167818.tif 000014
【図１３】
2013167818.tif 000015